(57)【要約】本発明は流体を制御するための弁、特に燃料噴射弁であって、後配置された室（１８）への接続を開放するか又は閉鎖するために、ケーシング（１１）内に配置された弁部材（３）を有している形式のものに関する。弁部材（３）を作動するためには作動部材（２）が設けられている。弁部材（３）はプレロード部材によりプレロード方向にプレロードがかけられている。さらに弁部材（３）はこの弁部材（３）に後配置された室から圧力情報を受取るためにセンサ部材（９）と接続されている。この場合、センサ部材（９）は独立した構成部材として設けられているか又は特に有利な構成にしたがって作動部材が同時にセンサ部材として使用されていることができる。
2004521243.tif 000002
【特許請求の範囲】
【請求項１】
流体を制御する弁、特に燃料噴射弁であって、後配置された室（１８）への接続を開放又は閉鎖する、ケーシング（１１）内に配置された弁部材（３）と、該弁部材（３）を作動するための作動部材（２）と、前記弁部材（３）にプレロード方向のプレロードをかけるプレロード部材（１０）とを有する形式のものにおいて、前記弁部材（３）がセンサ部材（９）と結合され、該センサ部材（９）が前記後配置された室（１８）から圧力情報を受取ることができるようになっており、該圧力情報が前記弁部材（３）を介して伝達されることを特徴とする、流体を制御する弁。
【請求項２】
前記作動部材（２）が圧電式のアクチエータ又は電磁式のアクチエータ又は磁気ひずみ部材として構成されている、請求項１記載の弁。
【請求項３】
前記作動部材（２）が同時に前記センサ部材（９）でもある、請求項１記載の弁。
【請求項４】
前記センサ部材（９）が前記弁部材（３）と一軸線（Ｘ−Ｘ）上に配置されている、請求項１から３までのいずれか１項記載の弁。
【請求項５】
圧電式部材として構成された前記センサ部材（９）に、前記作動部材（２）のためのプレロード部材（２１）によってプレロードがかけられている、請求項２から４までのいずれか１項記載の弁。
【請求項６】
前記センサ部材（９）が前記作動部材（２）と、制御／調整装置との間に存在する導線を信号伝送のために使用している、請求項１から５までのいずれか１項記載の弁。
【請求項７】
圧電式のアクチエータとして構成された前記センサ部材（９）が前記作動部材（２）のすぐ近くに配置されている、請求項１から６までのいずれか１項記載の弁。
【請求項８】
前記センサ部材（９）が前記弁部材（３）と前記作動部材（２）との間に配置されているか又は前記作動部材（２）が前記弁部材（３）と前記センサ部材（９）との間に配置されている、請求項１から７までのいずれか１項記載の弁。
【請求項９】
機関の燃焼室（１８）内の圧力及び／又は圧力変化を測定する方法において、燃焼室（１８）に配置された弁部材（３）が、該弁部材（３）が動かない状態で前記燃焼室（１８）内の圧力及び／又は圧力変化を、前記弁部材（３）に結合されたセンサ部材（９）に伝達することを特徴とする、機関の燃焼室（１８）内の圧力を検出する方法。
【請求項１０】
前記弁部材（３）の作動部材（２）が、同時にセンサ部材（９）としても構成されている、請求項９記載の方法。
【請求項１１】
燃料噴射弁において弁部材（３）を間接的又は直接的に作動するために使用される圧電式のアクチエータ又は磁気ひずみ式のアクチエータを、機関の燃焼室における圧力及び／又は圧力変化を検出する圧力検出センサとして使用することを特徴とする、燃料噴射弁の圧電式のアクチエータ又は磁気ひずみ式のアクチエータの使用法。
【請求項１２】
プレロード下でシリンダブロック（１７）と燃焼室内へ突入する弁ヘッド（３）との間に取付けられた圧電式の圧力センサ（９）が使用され、該圧力センサ（９）が独立した構成部分として又は弁ケーシングの統合された構成部分として構成されており、圧力経過が弁ケーシングを介して圧力センサに伝達されるようになっており、前記圧力情報が電気的な回路を介して又は直接的に電気的な信号として調整装置へ伝送されることを特徴とする、圧電式の圧力センサを使用する方法。
【請求項１３】
前記圧力センサが圧電リングとして又は小板として又はスタックとして構成されている、請求項１２記載の方法。
【発明の詳細な説明】
【０００１】
本発明は、圧力を検出する統合された装置を有する、流体を制御するための弁、特に燃料噴射弁並びに自動車の燃焼室における圧力及び圧力変化を検出する方法に関する。
【０００２】
従来の機関においては例えばノッキングを検出するためにいわゆるノッキングセンサが使用される。この公知のノッキングセンサは感震質量体の励振によって機関のノッキングを認識する。その際、機械的なインパルスは電気的な信号に変換され、この信号が制御装置により評価される。ノッキングセンサは外から機械的にシリンダもしくはエンジンブロックに結合される。しかしこのようなノッキングセンサではノッキングの認識しかできない。さらにシリンダヘッドの個有の孔内に、燃焼室におけるガス圧を連続的に測定するために設けられた燃焼室圧センサも公知である。この公知の圧力センサにおける欠点は、このために機関のシリンダブロックにおいてシリンダあたり１つの個有の孔が必要でありかつシリンダあたりそれぞれ１つの個有の導線が設けられていなければならず、比較的に費用がかかりかつ製造コストがアップすることである。
【０００３】
さらに火花による混合気の着火に際して発生する電極電圧がかけられた状態でのイオン電流の測定をベースとしたイオン電流測定が公知である。プラグ電極にかけられた測定電圧によってプラグ電極を介してイオン流が流れるとガス混合物が着火される。例えばプラグ電極におけるイオン電流の測定によって機関を制御するための調整量を得ることができる。イオン電流測定によって例えば失火と機関ノッキングを認識しかつ混合気の調質を最適化することができる。
【０００４】
しかし、失火又はノッキングを認識する公知の装置には比較的に費用がかかり、付加的な構成部分並びに組立作業により付加的な費用を惹き起こす。
【０００５】
発明の利点
これに対し圧力及び圧力変化を測定するための本発明の装置は、流体を制御するための弁に直接的に統合されているという利点を有している。この場合、流体を制御するための弁はケーシング内に配置された弁部材を有し、該弁部材で、後配置された室への接続が開放されるか閉鎖される。さらに弁部材を作動するための作動部材と、弁部材にプレロード方向のプレロードをかけるプレロード部材とが設けられている。この場合、弁部材は後配置された室から圧力情報を受取るためにセンサ部材と結合されている。統合された圧力測定装置を有する本発明による弁は特にエンジンにおいては燃料噴射弁として又は入口／出口弁として使用される。この弁は弁部材を介し直接的な接続を、後配置された室、例えば燃焼室に対し有しているので、燃焼室にて発生する圧力もしくは圧力変化はこの弁部材を介してセンサ部材に伝達される。この場合にはシリンダヘッドにおける別の孔は不要である。
【０００６】
本発明の他の有利な構成によれば、センサ部材は弁ケーシングの外側に配置されている。この場合、センサ部材は別個の構成部分として弁ケーシングとシリンダヘッドとの間に配置され、固定装置でプレロードをかけておくことができるか又は弁ケーシングに統合された構成部分であることができる。この場合、燃焼室における圧力経過はケーシングを介し圧力センサへ伝達される。次いでこの圧力情報は電気的な回路を介して又は直接的に電気的な信号として調整装置に伝送されかつ評価される。したがってこの圧力センサはいわゆる［Ａｄｄ−ｏｎ−構造］として特に噴射弁に後装備するために使用することができる。センサ部材が統合配置されている場合には、このセンサ部材は噴射弁ケーシングと合体させられることができる。さらに、特に電磁式のアクチエータの場合にはセンサを力流に統合することもできる。さらに圧電式又は磁気ひずみ式のアクチエータの場合にはアクチエータの性能又はセンサの感度を最適化するためにはアクチエータとセンサとを隔離することが必要となる。
【０００７】
又、本発明は液体を調量するあらゆる形式の弁及びスロットルバルブであって、後配置された室における圧力を測定する装置が統合されている形式のものにて使用することができる。この場合、本発明は直接的に作動される弁ニードル又は閉鎖部分に使用することも、液圧式及び／又は機械式の伝達装置を有するシステムにおいても用いることができる。
【０００８】
有利には弁部材の作動部材は圧電式のアクチエータとしても、電磁式のコイルとしても又は磁気ひずみ式の部材としても構成されていることができる。
【０００９】
本発明の特に有利な構成によれば、作動部材は同時にセンサ部材としても構成されている。これにより個別のセンサ部材を設けることを止めることができる。何故ならば弁部材を作動するためにすでに存在する作動部材を同時にセンサ部材として使用することができるからである。これは作動部材が圧電式のアクチエータとして又は磁気ひずみ式の部材として構成されていると特に有利に行なうことができる。作動部材が圧電式のアクチエータとして構成されていると、弁部材は圧電効果により公知の形式で作動される。その際、弁部材をその弁座から持上げることを目的として圧電式のアクチエータの長さに所定の変化をもたらすために、圧電式のアクチエータには所定の電圧がかけられる。その際、圧電式のアクチエータはその電圧が維持されている間はその長さの変化を維持する。これにより電圧の変化が行なわれない圧電式のアクチエータの非作動期においては、弁部材を介して圧電式の部材に伝達される、後配置された室にて発生する圧力変化を測定することが可能になる。したがって圧電式のアクチエータは同時にセンサとしても働く。この結果、圧電式の部材は同時にアクチエータとしてもセンサとしても働く。燃料噴射弁として使用した場合には簡単な形式で、ノッキングによる圧力変化が検出される。同様に圧電式の部材が較正化され、ひいては燃焼室内で絶対圧が決定されるようにすることもできる。この場合にはかけられる電圧は測定値として役立つ。これにより例えば制御装置を介し、一層好適な点火時点を決定することができる。したがって本発明によれば種々の構成的ヴァリエーションで種々の時間窓の圧力が決定されることができる。この場合には堰止め圧も絶対圧もしくは相対圧も決定可能である。
【００１０】
上記効果は、センサ部材が磁気ひずみ式の部材として構成されても得ることができる。磁気ひずみ式の部材の場合には、１つの物体の幾何学的な寸法は磁場の影響のもとで変化する。この場合、物体の膨張は磁場強さとの関連性において変化する。その際、物体の膨張は磁場の強さが強ければ強いほど大きい。この効果の反対は磁気弾性的な又は磁気機械的な効果と称される。この場合には磁気的な誘導の変化は機械的な応力の影響のもとで惹き起こされる。これは本発明の場合に、磁気ひずみ式の部材をアクチエータとしてもセンサとしても使用するために用いることができる。この場合には弁部材の非作動期において圧力変化は弁部材を介して磁気ひずみ式の部材に伝達されかつそこで圧電式の部材に相応して、磁気的な誘導の変化に基づき検出される。磁気ひずみ式の材料としては例えばテルフェノール−Ｄ（Ｔｅｒｆｅｎｏｌ−Ｄ）を使用することができる。したがってアクチエータとしての磁気ひずみ式の部材で同時にこの磁気ひずみ部材はセンサとして使用されることができる。これによって圧力変化と適当な較正化が成されていると絶対圧も測定されることができる。
【００１１】
特にコンパクトな構成を提供するためにはセンサ部材は弁部材と共通の軸線の上に配置されていると有利である。
【００１２】
有利には圧電アクチエータとして構成されたセンサ部材にも弁部材のプレロード部材によってプレロードがかけられる。これによって構成部材の数はさらに減少させられる。
【００１３】
作動部材をセンサ部材として同時に使用した場合には有利には作動部材と制御／調整装置との間にある導線はセンサとして働く作動部材の信号を伝送するためにも使用される。
【００１４】
センサ部材が独立した構成部分として設けられているとセンサ部材は作動部材のすぐ近くに配置されると有利である。この場合には独立したセンサ部材は例えば弁部材と作動部材との間に配置されているか又はセンサ部材は弁部材とは反対側の端部にて作動部材に配置されている。
【００１５】
自動車の燃焼室において圧力、すなわち圧力変化を測定するため並びに絶対圧を較正するための本発明の方法の場合には、圧力は燃焼室に配置された弁部材を介してセンサ部材に伝達される。これによって燃焼室内を支配している圧力もしくは燃焼室にて発生する圧力変化はセンサ部材と結合された弁部材に伝達される。この結果、例えば燃料噴射弁の場合には燃料噴射弁は同時に圧力測定器としても使用される。これにより機関における構成部分の数が減少させられ、特に製造費用が著しく低下させられる。
【００１６】
本発明の方法の有利な構成によれば、弁部材の作動部材は同時にセンサ部材としても使用される。これによって構成部分の数はさらに減少させられかつ特にコンパクトな弁が提供される。燃料噴射弁として使用した場合には弁は燃料を噴射する機能も、燃焼室における圧力及び圧力変化を検出する機能も有し、これにより特にノッキング並びに失火を認識することができる。さらに燃焼室にて支配する圧力に関連して点火時点及び混合気の形成が好適化され、燃料の節減と有害物質の減少とが達成される。本発明の方法はセンサ部材を弁ケーシングの外側に（独立した構成部分として又はケーシングの統合された構成部分として）配置された場合にも適用することができる。この場合、圧力情報はケーシングを介しセンサ部材に伝達される。
【００１７】
特に有利であるのは、本発明を、外に向かって開く弁にて使用することである。何故ならばこの場合には弁部材は、圧力もしくは圧力変化がセンサに伝送される室内へ突入することになるからである。
【００１８】
したがって本発明によっては１つの室における圧力の検出に関する問題が簡単な形式で解決される。この場合には弁と圧力測定器との組合せが実現される。この場合、圧力は弁が非作動期にある状態で（弁は完全に開放しているか又は完全に閉鎖している）、可動な弁部材によって検出され、センサ部材に伝達される。これによって特に流れの堰止め圧が測定される。センサ部材を弁ケーシングの外側に配置した場合には有利には燃焼室と周辺環境との間の差圧が測定される。
【００１９】
特に有利であることは燃料噴射弁の圧電式のアクチエータ又は磁気ひずみ式のアクチエータが作動部材としても、機関の燃焼室における圧力又は圧力変化を測定する圧力測定センサとしても使用されることである。本発明の別の有利な使用法では圧電式の圧力センサは、プレロードがかけられてシリンダヘッドと燃焼室に突入する弁ヘッドとの間に取付けられる。この場合には圧力センサは独立した構成部材として又は弁ケーシングの統合された構成部分として構成されていることができる。
【００２０】
以後、本発明の複数の実施例を図面に示しかつこれについて詳細に説明する。
【００２１】
実施例
以下、図１に基づき本発明による液体を制御するための弁１の第１実施例について説明する。弁１は燃料噴射弁として構成されている。
【００２２】
図１が示すように弁１は円筒形に構成されかつアクチエータとして使用される磁気ひずみ式の部材２を有している。アクチエータは電磁式のコイル６により取巻かれている。結合片５を介し、アクチエータは弁部材３と結合されている。弁部材３は弁座４を開放するかもしくは閉鎖する。戻しばね１０は結合片５と弁座４との間に配置されている。この場合、戻しばね１０は磁気ひずみ式の部材と弁部材３との両方を戻す。磁気ひずみ式の部材と弁部材３との両方は結合片５に固定的に結合されている。燃料供給導管７を介し圧力下にある燃料は弁部材３の前方の領域に供給される（図１を参照）。
【００２３】
先きに記したように第１実施例においてはアクチエータは磁気ひずみ式の構成部材２及び電磁式のコイル６から成っている。磁気ひずみ式の構成部材２のための工材としては例えばテルフェノール−Ｄが使用される。第１実施例によればアクチエータは同時に圧力検出センサとしても用いられ、この圧力検出センサは弁の非作動期における圧力もしくは圧力経過、例えば特に機関燃焼室からノッキングを検出する。
【００２４】
この場合、本発明によるアクチエータ／センサの機能は以下の通りである。燃料供給導管７から燃料を燃焼室へ噴射しようとすると、電磁コイル６で磁場が発生させられる。この磁場に基づき、磁気ひずみ式の部材２は弁部材３の方向に伸張させられる。磁気ひずみ式の部材２は他端で弁のケーシング１１に不動に位置している。磁気ひずみ式の部材２の前記長さ変化は、結合片５を介して弁部材３に伝達される。これにより弁部材３はその弁座４から持上げられる。これによって圧力下にある供給導管７内の燃料は燃焼室へ噴射される。噴射時点では弁部材３は開放位置に、いわゆる非作動期にある。これにより弁部材３が開放している状態で噴射の間、燃焼室にて発生する圧力変動は、弁部材３と結合片５とを介し、磁気ひずみ式の部材に伝達される。磁気弾性的又は磁気機械的な効果と呼ばれる磁気ひずみ効果の逆転によっては、磁気ひずみ式の部材２は部分的に圧縮される。この機械的な応力に関連して磁気的な誘導も変化し、信号として電磁コイル６にて探査される。したがって本発明によるアクチエータは同時にセンサとして使用されることができる。センサとしての使用は実地においては弁が非作動時期にある場合、つまり弁が開放位置の時点にあるか又は弁が閉鎖位置にある時点にある場合にしか意味を持たない。何故ならばさもないと弁ニードルの開放位置もしくは閉鎖位置への運動に基づき誤った信号が受取られることになるからである。又、弁部材の構成に関連して弁部材は噴射の間に流体の堰止め圧だけしか測定せず、相対圧又は圧力変化は測定しないこともできる。したがって本発明によれば別個の圧力検出器を燃焼室に設ける必要はなくなる。これにより燃焼室における付加的な開口は回避され、構成部材の数並びに組立費用は減少させられることができる。
【００２５】
さらに、磁気ひずみ式の組合わされたアクチエータ−センサの代りに、圧電式の組合わされたアクチエータ−センサを使用することもできる。さらに適当な機械式の構成で本発明を図１の場合のように外へ開放する弁にて使用するのではなく、内へ開放する弁にて使用することもできる。
【００２６】
図２においては本発明の第２実施例が示されている。同じ部材又は機能的に同じ部分は第１実施例と同じ符号で示されている。第１実施例とは異なって第２実施例においては機関室における圧力を測定するためには独立したセンサ９が設けられている。センサ９は圧電式スタックとして又はリング状又はプレート状の圧電式シングルセラミックプレートとして構成されている。この場合、圧電式のセンサ９は磁気ひずみ式の構成部材２とケーシング１１との間に配置されている。燃焼室における圧力経過は弁が閉じた状態で、弁ニードル３と中間片５とを介し、磁気ひずみ式のセンサに伝達される。したがって燃料噴射弁として構成された弁１は同時に圧力測定センサとして役立つ。この場合、圧電式のセンサ９は弁部材３と共通の軸Ｘ−Ｘの上に配置されている。その他の点では第２実施例は第１実施例に相応しているので第１実施例で述べたことを参照されたい。
【００２７】
図３には本発明の第３実施例による弁が示されている。同じ部材もしくは機能的に同じ部材は第１実施例における符号と同じ符号が付けられている。
【００２８】
図３に示された弁は電磁的に作動される弁であって、電流コイル６と磁石可動子を備えた弁ニードル３とを有している。ばね１０は弁ニードル３を閉鎖位置に保持する。さらに圧電式のスタックとして構成された圧力センサ９が設けられている。この圧力センサ９は弁ニードルのつばとばね１０との間に配置されている。コイル１６には電気的な接続部１２を介して電流が供給される。さらに燃料から固体粒子を濾過するためのフィルタシーブ１３並びに弁のシールを可能にする２つのＯリング１４が設けられている。先きの実施例におけると同様に、不動の開放位置もしくは閉鎖位置にて燃焼室における圧力変化が弁部材３を介して圧電式のセンサ９に伝達される。付加的な特別な導管においてはこの実施例ではアクティブな時期でも圧力経過が弁部材を介して測定されることができる。この場合には弁が閉じた状態では特に絶対圧もしくは環境に対する相対圧が測定される。弁が開いている状態では、弁部材の構成に関連して、場合によっては流体の堰止め圧だけが測定される。
【００２９】
図４においては本発明の第４実施例が示されている。同じ部材もしくは機能的に同じ部分には、この場合にも先きの実施例における符号と同じ符号が付けられている。
【００３０】
図４に示されているようにきわめて概略的に示された弁１は弁ヘッド３を作動する作動アクチエータ２を有している。圧電式のセンサ９は絶縁ディスク１６と固定つば１５との間に配置されている。固定つば１５にはプレロード力Ｆが作用している。弁１はシリンダヘッド１７に配置され、さらに燃料供給導管７並びに電気的な接続部１２を有している。この実施例では圧電式のセンサは、弁ケーシングの外側に配置された別個の構成部分である。この場合、弁１はその構造形式とは無関係に、圧電式のセンサ９がシリンダヘッドにおける固定によって発生させられたプレロード力Ｆのもとで固定つば１５とシリンダヘッド１７との間にあるようにシリンダヘッドに固定されている。このプレロード力Ｆは燃焼室１８と環境ｐ０との間の圧力差によって弁ヘッドの端面Ａに示したような力ＦＢｒに抗して作用する。この締込みにしたがって、燃焼室１８における圧力経過に応じてプレロードに抗して作用する比例的な力ＦＢｒが発生する。したがって電気的な切換えに関連して比例的な電流又は電圧経過が発生させられる。この電流又は電圧経過は評価ユニットに伝達され、そこで混合気好適化及び点火時期好適化のために使用されることができる。電気的及び熱的な影響を軽減させるためには圧電式のセンサが周辺雰囲気から十分に絶縁される必要がある。この配置では端面Ａと、燃焼室Ａと周囲環境との間の圧力差とから合成された機械的な力ＦＢｒの伝達体は弁ニードル自体ではなく弁全体である。このような配置は他の弁とスロットルバルブとにおいても使用することができる。さらに弁ヘッド３にはシールが設けられている。
【００３１】
図５には本発明の第５実施例による弁が示されている。同じ構成部分もしくは機能的に同じ構成部分には先きの実施例における符号と同じ符号が付けられている。
【００３２】
図５に示されているように弁１は、圧電式のアクチエータ２並びに独立した圧電式のセンサ９を有している。アクチエータ２とセンサ９は互いに直接隣り合って配置され、２つの板状の部材の間に位置せしめられている。アクチエータ２は弁部材３に固定的に結合されている。この弁部材３は燃焼室１８への接続を形成するために弁座４を開放するかもしくは閉鎖する。この場合、可動子２は対応受け１９に支えられ、可動子２は制御された場合にその長さをばね１０に向かって伸張させる。ばね１０は結合片５を介しアクチエータ２に結合され、これにバイアスをかける。
【００３３】
図５に示された弁の作用形式は以下の通りである。圧電式のアクチエータ２が制御され、圧電式のアクチエータがその長さをばね１０に向かって伸張させると、圧電式のアクチエータ２に不動に結合された弁ニードル３が弁座４から持上がり、燃焼室１８への燃料噴射を行なうことができる。
【００３４】
例えばノッキングによって発生する圧力変化は、弁ニードル３を介し、圧電式のセンサ９に伝達され、そこから信号として制御兼調整装置に伝送される。この場合には圧電式のアクチエータ２を制御するために存在する導線と同じ導線を使用することができる。
【００３５】
図６には本発明の第６実施例による弁１が示されている。同じ構成部材もしくは作用が同じ構成部材には先きの実施例と同じ符号が付けられている。
【００３６】
図６に示されているように第６実施例においては同様に圧電式のアクチエータ２と圧電式のセンサ９とは２つの別個の構成部分として構成されている。圧電式のセンサ９は圧電式のアクチエータ２と弁ニードル３に結合された中間片５との間に配置されている。ばね１０は弁ニードル３を閉鎖位置に保持する。ばね２１はアクチエータ２とセンサ９とにプレロードをかける。
【００３７】
圧電式のアクチエータ２が制御されると、圧電式のアクチエータ２はその長さをその長手方向に変化させるので、圧電式のアクチエータ２の行程は結合片５を介して弁ニードル３へ伝達され、弁ニードル３はその弁座４から持上がる。これにより燃料供給導管７と燃焼室との間の接続が開放され、燃料が燃焼室へ噴射される。その際、弁ニードル３の先端は部分的に燃焼室内に位置している。
【００３８】
圧力ピークが燃焼室におけるノッキングによって発生し、燃焼室において圧力が変化すると、この圧力変化は弁ニードル３と結合片５とを介して圧電式のセンサ９に伝達される。圧電式のセンサ９からは信号が評価装置に伝送される。その他の点では第６の実施例はほぼ第２から第５の実施例に相当しており、詳細はそこで記述した内容を参照されたい。
【００３９】
図７においては本発明の第７実施例による弁が示されている。同じ構成部分もしくは機能的に同じ構成部分は先きの実施例における符号と同じ符号が付けられている。
【００４０】
第７実施例はほぼ第６実施例に相応している。この場合、第６実施例とは異なって第７実施例においては、第１の結合片５と第２の結合片２０とが弁ニードル３と圧電式のセンサ９との間に配置されている。さらに圧電式の部材として構成されたアクチエータ２にプレロードをかけるために独立したプレロードばね２１が設けられている。さらに弁ニードル３には弁ニードル３を閉鎖位置に保つ戻しばね１０を支えるためにつば２２が設けられている。その他の点では第７実施例は先きに述べた実施例に相当しているので詳細な説明は省略する。
【００４１】
以上、本発明は流体を制御するための、統合された圧力測定器を備えた弁又はスロットルバルブ、特に燃料噴射弁であって、後配置された室１８への接続を開放又は閉鎖するために、ケーシング１１内に配置された弁部材３を有する形式のものを対象としている。弁部材３を作動するためには作動部材２が設けられている。弁部材３にはプレロード部材１０を用いてプレロード方向へプレロードがかけられている。さらに燃焼室内へ突入する弁ヘッドは弁部材に後配置された室１８から圧力情報を受取るためにセンサ部材９と結合されている。この場合には、センサ部材９は独立した構成部分として設けられているか又は特に有利な構成では作動部材を同時にセンサ部材として用いることができる。
【００４２】
本発明による実施例の先きの記述は説明のためのものであって本発明を限定するためのものではない。本発明の枠内では本発明の領域を逸脱することなくかつ本発明の等価性を保って、種々の変化及び変更が可能である。
【図面の簡単な説明】
【図１】
本発明の第１実施例による液体を制御するための弁を示した概略的な断面図。
【図２】
本発明の第２実施例による液体を制御するための弁を示した概略的な断面図。
【図３】
本発明の第３実施例による液体を制御するための弁を示した図。
【図４】
本発明の第４実施例による液体を制御するための弁を示した図。
【図５】
本発明の第５実施例による液体を制御するための弁を示した図。
【図６】
本発明の第６実施例による液体を制御するための弁を示した図。
【図７】
本発明の第７実施例による液体を制御するための弁を示した図。
【符号の説明】
１  弁、  ２  磁気ひずみ式の部材、  ３  弁部材、  ４  弁座、  ５  結合片、  ６  電磁コイル、  ７  燃料供給導管、  ９  圧電式のセンサ、  １０  戻しばね、  １１  ケーシング、  １２  接続部、  １３  フィルタシーブ、  １４  Ｏリング、  １５  固定つば、  １６  絶縁ディスク、  １７  シリンダヘッド、  １８  燃焼室、  １９  対応受け、  ２０  結合片、  ２１  ばね、  ２２  つば
【国際公開パンフレット】
2004521243.tif 000003
2004521243.tif 000004
2004521243.tif 000005
2004521243.tif 000006
2004521243.tif 000007
2004521243.tif 000008
2004521243.tif 000009
2004521243.tif 000010
2004521243.tif 000011
2004521243.tif 000012
2004521243.tif 000013
2004521243.tif 000014
2004521243.tif 000015
2004521243.tif 000016
2004521243.tif 000017
2004521243.tif 000018
2004521243.tif 000019
2004521243.tif 000020
2004521243.tif 000021
2004521243.tif 000022
2004521243.tif 000023
2004521243.tif 000024
2004521243.tif 000025
2004521243.tif 000026
2004521243.tif 000027
2004521243.tif 000028
2004521243.tif 000029
【国際調査報告】
2004521243.tif 000030
2004521243.tif 000031
2004521243.tif 000032
2004521243.tif 000033
2004521243.tif 000034
2004521243.tif 000035